(57)【要約】【課題】  仔豚（胎児）に付着した羊水、血液等を拭き取った後の処理の容易化を図ることができる、豚の分娩処理用ロールペーパーを提供する。【解決手段】  豚の分娩処理用ロールペーパー１は、所定長さのペーパー２をロール状に巻回して形成したものである。ペーパー２は、例えば、豚の糞尿等を原料とする水分のある堆肥で容易に溶解する材質となるように１００％バージンパルプを主成分としている。バージンパルプとしては、木材（ユーカリ、ポプラ、モミ、マツ等）を材料としたパルプが使用される。【選択図】  図１
0003184212.tif 000002
【実用新案登録請求の範囲】
【請求項１】
所定長さのペーパーをロール状に巻回して形成した、豚の分娩処理用ロールペーパーであって、
前記ペーパーは、水分のある堆肥で溶解する材質からなることを特徴とする、豚の分娩処理用ロールペーパー。
【請求項２】
前記ペーパーは、１００％バージンパルプを主成分とする、請求項１に記載の豚の分娩処理用ロールペーパー。
【請求項３】
前記ペーパーの表面にエンボス加工が施された、請求項１又は２に記載の豚の分娩処理用ロールペーパー。
【考案の詳細な説明】
【技術分野】
【０００１】
本考案は、分娩直後の仔豚（胎児）に付着した羊水、羊膜、血液等を拭き取るために用いられる、豚の分娩処理用ロールペーパーに関する。
【背景技術】
【０００２】
分娩直後の仔豚（胎児）には羊水、羊膜、血液等が付着しており、従来、これら羊水、血液等は、使い古したタオル等のボロ布を用いて拭き取られていた（例えば、非特許文献１参照）。
【先行技術文献】
【非特許文献】
【０００３】
【非特許文献１】南洲農場ホームページ、［online］、［平成２５年２月２２日検索］、インターネット〈URL:http://www.nanshunojo.or.jp/index.html〉
【考案の概要】
【考案が解決しようとする課題】
【０００４】
しかしながら、仔豚（胎児）に付着した羊水、血液等を、ボロ布を用いて拭き取った場合には、そのボロ布を簡単には棄てることができず、後処理が大変であるという問題点があった。
【０００５】
本考案は、従来技術における前記課題を解決するためになされたものであり、仔豚（胎児）に付着した羊水、血液等を拭き取った後の処理の容易化を図ることができる、豚の分娩処理用ロールペーパーを提供することを目的とする。
【課題を解決するための手段】
【０００６】
前記目的を達成するため、本考案に係る豚の分娩処理用ロールペーパーの構成は、
（１）所定長さのペーパーをロール状に巻回して形成した、豚の分娩処理用ロールペーパーであって、前記ペーパーは、水分のある堆肥で溶解する材質からなることを特徴とする。
【０００７】
本考案の豚の分娩処理用ロールペーパーの（１）の構成によれば、分娩直後の仔豚（胎児）に付着した羊水、血液等を拭き取った後、例えば、豚の糞尿等を原料とする水分のある堆肥に混ぜて処理することができるので、羊水、血液等を拭き取った後の処理の容易化を図ることができる。尚、ペーパーの端部を持ってロール部分を転がすことにより、ペーパーを簡単に引き出すことができるので、ペーパーを取り出す手間の軽減を図ることもできる。
【０００８】
前記本考案の豚の分娩処理用ロールペーパーの構成においては、以下の（２）〜（４）のような構成にすることが好ましい。
【０００９】
（２）前記ペーパーは、１００％バージンパルプを主成分とする。
【００１０】
ここで、「バージンパルプ」とは、古紙を材料とした古紙パルプに対する用語であり、木材（ユーカリ、ポプラ、モミ、マツ等）や非木材（トウモロコシの皮、ヨシ、ケナフ等）を材料とするパルプのことである。
【００１１】
上記（２）の好ましい構成によれば、例えば、豚の糞尿等を原料とする水分のある堆肥で容易に溶解するロールペーパーを得ることができる。また、上記（２）の好ましい構成によれば、ペーパーが、古紙を材料としない１００％バージンパルプを主成分としているため、しなやかで弾力性に富んだロールペーパーを得ることができる。その結果、当該ペーパーを、適当な長さに切り取り、豚の分娩を行う分娩舎の床面に数枚重ねた状態で敷くことにより、親豚を保護することができると共に、産み落とされる仔豚（胎児）に対してソフトランディング効果を得ることができる。
【００１２】
ところで、従来、豚の分娩を行う分娩舎の床面にはオガクズや藁等が敷いてあり、これにより、分娩時の親豚や仔豚（胎児）を保護するようにされていたが、分娩の際に、尿膜や羊膜、それに胎児が、親豚の産道を出たり入ったりし、このときにオガクズ等が産道内に入り込んでしまうおそれがあった。また、胎児が娩出される瞬間に子宮内が陰圧になって、オガクズや敷き藁のホコリ等を吸い込んでしまうおそれもあった。そして、オガクズ等にはクレブシエラ等のバイ菌がたくさんくっついており、このバイ菌によって親豚が子宮内膜炎を起こしてしまう危険性があった。また、産道に傷があると、親豚が化膿性のひどい頸管炎等を起こしてしまう危険性もあった。しかしながら、上記（２）の好ましい構成によれば、ペーパーは、１００％バージンパルプを主成分としているために衛生的であり、かつ、ホコリを発生させることもないので、分娩舎の床面に敷いても親豚が子宮内膜炎や頸管炎等を起こしてしまう危険性はない。
【００１３】
（３）前記ペーパーの表面にエンボス加工が施されている。
【００１４】
ペーパーの表面にエンボス加工を施すことにより、当該ペーパーに吸水性と保水性を付与することができる。従って、上記（３）の好ましい構成によれば、仔豚（胎児）に付着した羊水、血液等をきれいに拭き取ることが可能となる。また、ペーパーの表面にエンボス加工を施すことにより、当該ペーパーの表面積を増やして、ボリュームを出すことができるので、ペーパーのクッション性を高めることもできる。従って、上記（３）の好ましい構成によれば、産み落とされる仔豚（胎児）に対するソフトランディング効果をさらに高めることが可能となる。
【００１５】
（４）前記ペーパーには、所定間隔ごとにその幅方向に沿ってミシン目が形成されている。
【００１６】
上記（４）の好ましい構成によれば、一定間隔のミシン目間で切り取ることにより、サイズの等しいペーパーを何枚でも得ることができる。従って、ペーパーを、数枚重ねた状態で分娩舎の床面に敷く場合に、きれいに敷くことができる。
【考案の効果】
【００１７】
本考案によれば、仔豚（胎児）に付着した羊水、血液等を拭き取った後の処理の容易化を図ることができる、豚の分娩処理用ロールペーパーを提供することができる。
【図面の簡単な説明】
【００１８】
【図１】図１は、本考案の一実施の形態における豚の分娩処理用ロールペーパーの構成を示す斜視図である。
【図２】図２は、本考案の一実施の形態における豚の分娩処理用ロールペーパーの使用状態を示す斜視図である。
【考案を実施するための形態】
【００１９】
以下、好適な実施の形態を用いて本考案をさらに具体的に説明する。但し、下記の実施の形態は本考案を具現化した例に過ぎず、本考案はこれに限定されるものではない。
【００２０】
［豚の分娩処理用ロールペーパーの構成］
まず、本考案の一実施の形態における豚の分娩処理用ロールペーパーの構成について、図１を参照しながら説明する。
【００２１】
図１は、本考案の一実施の形態における豚の分娩処理用ロールペーパーの構成を示す斜視図である。
【００２２】
図１に示すように、本実施の形態の豚の分娩処理用ロールペーパー（以下、単に「ロールペーパー」ともいう）１は、所定長さのペーパー２をロール状に巻回して形成したものである。尚、図１において、参照符号３は、ペーパー２を巻回するための紙筒を示している。
【００２３】
未使用状態でのペーパー２の全長は、約６０ｍである。ペーパー２には、所定間隔ごとにその幅方向に沿ってミシン目４が形成されており、これにより、ペーパー２を適当な長さに切り取って使用することができるようにされている。尚、ペーパー２の幅は、豚の分娩舎の床面に敷いて使用することを考えると、約４００ｍｍ〜約１２００ｍｍであることが好ましい。
【００２４】
ペーパー２は、水分のある堆肥で溶解する材質からなっている。
【００２５】
本実施の形態においては、ペーパー２は、水分のある堆肥で容易に溶解する材質となるように１００％バージンパルプを主成分としている。ここで、「バージンパルプ」とは、古紙を材料とした古紙パルプに対する用語であり、木材（ユーカリ、ポプラ、モミ、マツ等）や非木材（トウモロコシの皮、ヨシ、ケナフ等）を材料とするパルプのことである。非木材パルプは、木材パルプに比べて一般に繊維が長い。水分のある堆肥で溶解しやすい点からすると、木材パルプからなるペーパーの方がより好ましい。尚、ペーパー２の坪量は、後述するエンボスパターンが確実に保持される点、及び、後述する弾力性が損なわれない点で、約１０ｇ／ｍ２〜約２５ｇ／ｍ２であることが好ましい。
【００２６】
より具体的には、ペーパー２は、１００％木材パルプを主成分とし、日本製紙連合会の「食品に接触することを意図した紙・板紙の自主基準」に合致した製法によって作られている。この「食品に接触することを意図した紙・板紙の自主基準」は、食品向けの紙製品における衛生管理についての自主基準であり、日本製紙連合会の制定したネガティブリスト（インターネットで利用可能な化学物質データベース）に記載されている物質の使用を禁止する等、安全性確保を目的としたものとなっている。尚、ネガティブリストに挙げられている物質としては、例えば、ポリ塩化ビフェニル、ヘキサクロロベンゼン等の第１種特定化学物質、あるいはダイオキシン類（ポリ塩化ジベンゾフラン及びダイオキシン様ポリ塩化ビフェニル）等がある。ネガティブリストに挙げられていない物質であれば、ペーパー２に含有させることができる。
【００２７】
木材パルプは、植物繊維であり、加水分解すると、セルロースと呼ばれる炭水化物になる。そして、叩解工程、漉き工程等を経てペーパー２が出来上がる。
【００２８】
本実施の形態のロールペーパー１の構成によれば、ペーパー２が、水分のある堆肥で溶解する材質からなっているので、分娩直後の仔豚（胎児）に付着した羊水、血液等を拭き取った後、例えば、豚の糞尿等を原料とする水分のある堆肥に混ぜて処理することができる。その結果、羊水、血液等を拭き取った後の処理の容易化を図ることができる。尚、ペーパー２の端部を持ってロール部分を転がすことにより、ペーパー２を簡単に引き出すことができるので、ペーパー２を取り出す手間の軽減を図ることもできる。
【００２９】
また、ペーパー２が、水分のある堆肥で容易に溶解する材質となるように古紙を材料としない１００％バージンパルプを主成分としているため、しなやかで弾力性に富んだロールペーパーを得ることができる。その結果、ペーパー２を、適当な長さに切り取り、豚の分娩を行う分娩舎の床面に数枚重ねた状態で敷くことにより、親豚を保護することができると共に、産み落とされる仔豚（胎児）に対してソフトランディング効果を得ることができる。
【００３０】
ところで、従来、豚の分娩を行う分娩舎の床面にはオガクズや藁等が敷いてあり、これにより、分娩時の親豚や仔豚（胎児）を保護するようにされていたが、分娩の際に、尿膜や羊膜、それに胎児が、親豚の産道を出たり入ったりし、このときにオガクズ等が産道内に入り込んでしまうおそれがあった。また、胎児が娩出される瞬間に子宮内が陰圧になって、オガクズや敷き藁のホコリ等を吸い込んでしまうおそれもあった。そして、オガクズ等にはクレブシエラ等のバイ菌がたくさんくっついており、このバイ菌によって親豚が子宮内膜炎を起こしてしまう危険性があった。また、産道に傷があると、親豚が化膿性のひどい頸管炎等を起こしてしまう危険性もあった。しかしながら、本実施の形態のロールペーパー１の構成によれば、ペーパー２は、１００％バージンパルプを主成分としているために衛生的であり、かつ、ホコリを発生させることもないので、分娩舎の床面に敷いても親豚が子宮内膜炎や頸管炎等を起こしてしまう危険性はない。
【００３１】
ペーパー２は、その表面にエンボス加工が施されている。このエンボス加工は、ペーパー２の表面に多数の凸部（裏面に多数の凹部）を有するエンボスパターンを形成するように行われる（点状エンボス加工）。凸部は平坦な頂面を有し、凹部は平坦な底面を有している。凸部は、平坦な領域から頂面までの高さが約０．２ｍｍ〜約１．０ｍｍ、頂面の面積が約０．１ｍｍ２〜約１０．０ｍｍ２である。また、凹部は、平坦な領域から底面までの深さが約０．２ｍｍ〜約１．０ｍｍ、底面の面積が約０．１ｍｍ２〜約１０．０ｍｍ２である。そして、凸部の数（凹部の数）は、１ｃｍ２当たり３〜２５個である。尚、エンボスパターンは、点状エンボスパターンに限定されるものではなく、適宜形状のエンボスパターン、例えば、筋状エンボスパターン等を採用することもできる。
【００３２】
このように、ペーパー２の表面にエンボス加工を施すことにより、ペーパー２に吸水性と保水性を付与することができる。従って、かかる構成によれば、仔豚（胎児）に付着した羊水、血液等をきれいに拭き取ることが可能となる。また、このように、ペーパー２の表面にエンボス加工を施すことにより、ペーパー２の表面積を増やして、ボリュームを出すことができるので、ペーパー２のクッション性を高めることもできる。従って、かかる構成によれば、産み落とされる仔豚（胎児）に対するソフトランディング効果をさらに高めることが可能となる。
【００３３】
［豚の分娩処理用ロールペーパーの使用方法］
次に、本考案の一実施の形態における豚の分娩処理用ロールペーパーの使用方法について、図２をも参照しながら説明する。
【００３４】
図２は、本考案の一実施の形態における豚の分娩処理用ロールペーパーの使用状態を示す斜視図である。
【００３５】
豚の分娩に際しては、図２に示すように、まず、適当な長さに切り取ったペーパー２を数枚重ねた状態で分娩舎の床面に敷きつめる。この場合、一定間隔のミシン目４間で切り取ることにより、サイズの等しいペーパー２を何枚でも得ることができる。従って、ペーパー２を、数枚重ねた状態で分娩舎の床面に敷く場合に、きれいに敷くことができる。そして、この場合、数枚重ねた状態の一組のペーパー２は、隣り合うもの同士が部分的に重なり合うようにして分娩舎の床面に敷きつめられる。
【００３６】
以上のようにしてペーパー２を分娩舎の床面に敷きつめたら、親豚（母豚）５を洗浄・消毒した後、分娩舎に移動させ、仔豚６を出産するための準備に入る。この場合、親豚（母豚）５の下にはしなやかで弾力性に富んだペーパー２が数枚重ねた状態で敷かれているため、親豚（母豚）５は安心して分娩を迎えることができる。尚、図２には示されていないが、分娩後の仔豚６の圧死を防止するために、親豚（母豚）５は分娩柵で囲われている。
【００３７】
親豚（母豚）５を分娩舎に移動させた後、約１週間で仔豚６が産まれる。この場合、分娩舎の床面にはしなやかで弾力性に富んだペーパー２が数枚重ねた状態で敷かれているため、産み落とされる仔豚（胎児）６に対してソフトランディング効果が得られ、安全に分娩を終えることができる。また、ペーパー２は、１００％バージンパルプを主成分としているために衛生的であり、かつ、ホコリを発生させることもないので、分娩舎の床面に敷いても親豚５が子宮内膜炎や頸管炎等を起こしてしまう危険性はない。
【００３８】
分娩後、仔豚（胎児）６に付着した羊水、血液等をペーパー２で拭き取る。そして、羊水、血液等を拭き取った後のペーパー２を、例えば、豚の糞尿等を原料とする水分のある堆肥に混ぜる。これにより、羊水、血液等を拭き取った後のペーパー２は、水分のある堆肥で溶解する。このように、羊水、血液等を拭き取った後のペーパー２は、例えば、豚の糞尿等を原料とする水分のある堆肥に混ぜて処理することができるので、従来のボロ布を用いる場合に比べて、羊水、血液等を拭き取った後の処理が容易となる。尚、分娩舎の床面に敷かれたペーパー２にも羊水、血液等が付着する場合があるが、この場合には、これらのペーパー２も水分のある堆肥に混ぜて処理すればよい。
【００３９】
尚、上記実施の形態においては、ペーパー２を巻回するための紙筒３を有するロールペーパー１を例に挙げて説明しているが、本考案は必ずしもこのような構成に限定されるものではない。紙管の無い無芯ロールペーパーも本考案に含まれる。
【００４０】
また、上記実施の形態においては、ペーパー２が、１００％バージンパルプを主成分とする場合を例に挙げて説明しているが、本考案は必ずしもこのような構成に限定されるものではない。ペーパー２は、水分のある堆肥で溶解する材質からなっていればよく、例えば、古紙パルプを含んでいてもよい。但し、水分のある堆肥で容易に溶解するようにするためには、ペーパー２は、古紙を材料としない１００％バージンパルプを主成分とすることが好ましい。
【００４１】
また、上記実施の形態においては、水分のある堆肥として、豚の糞尿等を原料とする堆肥を例に挙げて説明しているが、本考案は必ずしもこのような構成に限定されるものではない。水分のある堆肥は、例えば、牛の糞尿等を原料とする堆肥であってもよい。
【００４２】
また、上記実施の形態においては、ペーパー２の表面にエンボス加工が施されたロールペーパー１を例に挙げて説明しているが、本考案は必ずしもこのような構成に限定されるものではない。本考案は、ペーパー２が、水分のある堆肥で溶解する材質からなっていさえすれば、所期の目的を達成することができる。
【００４３】
また、上記実施の形態においては、ペーパー２に所定間隔ごとにその幅方向に沿ってミシン目４が形成されたロールペーパー１を例に挙げて説明しているが、本考案は必ずしもこのような構成に限定されるものではない。ペーパー２は、カッターとかハサミとかで切り取るようにしてもよい。
【産業上の利用可能性】
【００４４】
本考案によれば、分娩直後の仔豚（胎児）に付着した羊水、血液等を拭き取った後、例えば、豚の糞尿等を原料とする水分のある堆肥に混ぜて処理することができる、豚の分娩処理用ロールペーパーを提供することができる。従って、本考案の豚の分娩処理用ロールペーパーは、羊水、血液等を拭き取った後の処理の容易化を図る上で有用である。
【符号の説明】
【００４５】
１  豚の分娩処理用ロールペーパー
２  ペーパー
３  紙筒
４  ミシン目
【図１】
0003184212.tif 000003
【図２】
0003184212.tif 000004
【手続補正書】
【提出日】平成25年4月8日(2013.4.8)
【手続補正１】
【補正対象書類名】実用新案登録請求の範囲
【補正対象項目名】全文
【補正方法】変更
【補正の内容】
【実用新案登録請求の範囲】
【請求項１】
所定長さのペーパーをロール状に巻回して形成した、豚の分娩処理用ロールペーパーであって、
前記ペーパーは、１００％バージンパルプを主成分とすることを特徴とする、豚の分娩処理用ロールペーパー。
【請求項２】
前記ペーパーの表面にエンボス加工が施された、請求項１に記載の豚の分娩処理用ロールペーパー。